(57)【要約】【課題】  ユーザが携帯端末装置を操作している場合だけでなく、動画を視聴しているような場合に於いても、ユーザの低温火傷を防ぐことが出来る携帯型端末装置を、簡易に提供する。【解決手段】  本発明の携帯端末装置は、加速度検出手段と、加速度検出手段から出力される信号に基づいて、自装置がユーザに接触している接触状態か否かを判断する制御手段と、接触状態であるときに、自装置に内蔵されたバッテリの充電に伴う発熱を抑制する充電手段と、を備える。【選択図】      図１
2014212594.tif 000002
【特許請求の範囲】
【請求項１】
加速度検出手段と、
前記加速度検出手段から出力される信号に基づいて、自装置がユーザに接触している接触状態か否かを判断する制御手段と、
前記接触状態であるときに、自装置に内蔵されたバッテリの充電に伴う発熱を抑制する充電手段と、を備えた携帯端末装置。
【請求項２】
画像を生成する画像処理手段と、
前記画像を表示する表示手段と、をさらに備え、
前記制御手段は、前記加速度検出手段の加速度検出に基づいて自装置の水平軸に対する回転角度を判定し、当該回転角度に応じて、前記画像を前記表示装置に表示する際の回転角度を決定する、請求項１の携帯端末装置。
【請求項３】
前記制御手段は、前記バッテリの充電中に、前記接触状態であると、警告を出力する、請求項１乃至２の何れかの携帯端末装置。
【請求項４】
前記バッテリと、
前記画像を含む信号を受信して、前記画像処理手段に出力する無線手段と、
自装置内の温度を検出する温度検出手段と、を更に備え、
前記画像処理手段は、前記無線手段から取得した前記信号に含まれる動画を再生し、
前記制御手段は、自装置内の温度が所定値以上であり、かつ、前記接触状態であるときに、自装置に内蔵されたバッテリの充電に伴う発熱を抑制する、請求項２の携帯端末装置。
【請求項５】
加速度を検出し、
検出された前記加速度に基づいて、自装置がユーザに接触している接触状態か否かを判断し、
前記接触状態であるときに、自装置に内蔵されたバッテリの充電に伴う発熱を抑制する携帯端末装置の充電制御方法。
【請求項６】
画像を生成して表示手段に表示し、
検出された前記加速度に基づいて自装置の水平軸に対する回転角度を判定し、当該回転角度に応じて、前記画像を前記表示装置に表示する際の回転角度を決定する、請求項５の携帯端末装置の充電制御方法。
【請求項７】
前記バッテリの充電中に、前記接触状態であると、警告を出力する、請求項５乃至６の何れかの携帯端末装置の充電制御方法。
【請求項８】
コンピュータに、
加速度検出手段から出力される信号に基づいて、自装置がユーザに接触している接触状態か否かを判断する制御処理と、
前記接触状態であるときに、自装置に内蔵されたバッテリの充電に伴う発熱を抑制する充電処理と、を実行させるプログラム。
【請求項９】
コンピュータに、
画像を生成する画像処理と、
前記画像を表示手段に出力する表示処理と、
前記加速度検出手段の加速度検出に基づいて自装置の水平軸に対する回転角度を判定し、当該回転角度に応じて、前記画像を前記表示装置に表示する際の回転角度を決定する前記制御処理と、を実行させる請求項８のプログラム。
【請求項１０】
コンピュータに、
前記バッテリの充電中に、前記接触状態であると、警告を出力する前記制御処理を実行させる請求項８乃至９の何れかのプログラム。
【発明の詳細な説明】
【技術分野】
【０００１】
本願発明は、携帯端末装置の充電制御に関する。
【背景技術】
【０００２】
近年、携帯電話に代表される携帯端末は、並列処理や高速処理などによる多機能化、高機能化、及び、通信網の発達による通信速度の高速化している。それにともない、消費電力も次第に増大している。その結果、携帯端末の温度上昇による低温火傷が大きな問題となっている。携帯端末では、特に、充電中に携帯端末を動作させることによる発熱が問題となる。
【０００３】
安全性に関する国際規格であるＩＥＣ６０９５０（国内：ＪＩＳ  Ｃ  ６９５０）において、情報処理機器の表面温度の上限が規定されている。従って、携帯端末は、この規格に準拠するために、表面温度が所定の温度より高温にならないような発熱対策が取られている必要がある。
【０００４】
一般的な携帯端末は、充電可能なバッテリを電源として備えており、バッテリ充電中の発熱対策として、端末の温度に応じて、充電電流の制御を行っているものがある。
【０００５】
しかし、充電電流を低下させると、充電に関する回路やバッテリの発熱量は低下するが、充電に必要な時間が長くなる、あるいは、最悪、端末の消費電流の方が充電電流よりも大きくなり、逆にバッテリが減少していってしまう問題が発生する。すなわち、充電発熱制御には、充電効率が悪化してしまうという問題点がある。特許文献１はこの問題に対応する技術を開示する。
【０００６】
具体的に、特許文献１は、ユーザがタッチパネルに接触している状態が一定時間続いている場合に、充電に伴う発熱を抑える充電発熱制御を行う携帯端末装置を開示する。充電発熱制御は、バッテリを充電しながら使用する場合に発生する、ユーザの低温火傷を防ぐために行われる。
【０００７】
特許文献２は、ユーザが筐体を保持した場合の手ぶれによる加速度を検出する加速度センサを備えた、携帯電子機器を開示する。
【０００８】
特許文献３は、部品の温度を監視し、温度以上を検出した場合に、表示部などを用いてユーザに警告する移動通信装置を開示する。
【先行技術文献】
【特許文献】
【０００９】
特開２０１０−１２４２４６号公報
ＷＯ２０１０／０９８３７６号公報
特開２００４−３０４９００号公報
【発明の概要】
【発明が解決しようとする課題】
【００１０】
特許文献１の携帯端末装置は、ユーザがタッチパネルに接触していない場合は、充電発熱制御を行えない。従って、ユーザが携帯端末装置で動画を視聴しているような場合に、発熱制御が行えない問題があった。
【００１１】
引用文献２および３の装置は、直接、発熱制御に関係しない。
【００１２】
本願発明の目的は、上述の問題を解決した携帯端末装置、携帯端末装置の充電制御方法、および、プログラムを提供することである。
【課題を解決するための手段】
【００１３】
本願発明の一実施形態の携帯端末装置は、加速度検出手段と、前記加速度検出手段から出力される信号に基づいて、自装置がユーザに接触している接触状態か否かを判断する制御手段と、前記接触状態であるときに、自装置に内蔵されたバッテリの充電に伴う発熱を抑制する充電手段と、を備える。
【００１４】
本願発明の一実施形態の携帯端末装置の充電制御方法は、加速度を検出し、検出された前記加速度に基づいて、自装置がユーザに接触している接触状態か否かを判断し、前記接触状態であるときに、自装置に内蔵されたバッテリの充電に伴う発熱を抑制する。
【００１５】
本願発明の一実施形態のプログラムは、コンピュータに、画像を生成する画像処理と、前記画像を表示手段に出力する表示処理と、前記加速度検出手段からの加速度検出に基づいて自装置の水平軸に対する回転角度を判定し、当該回転角度に応じて、前記画像を前記表示装置に表示する際の回転角度を決定する前記制御処理と、を実行させる。
【発明の効果】
【００１６】
本願発明は、ユーザが携帯端末装置を操作している場合だけでなく、動画を視聴しているような場合に於いても、ユーザの低温火傷を防ぐことが出来る携帯型端末装置を、簡易に提供することが出来る。
【図面の簡単な説明】
【００１７】
【図１】図１は、第１の実施形態の携帯端末装置１０の構成を示す。
【図２】図２は、第１の実施形態の携帯端末装置１０の制御部１０の動作フローチャートである。
【図３】図３は、第２の実施形態の携帯端末装置１０の構成を示す。
【発明を実施するための形態】
【００１８】
（第１の実施の形態）
図１は、第１の実施形態の携帯端末装置１０の構成を示す。携帯端末装置１０は、充電時に電源１５と接続される。電源１５は、通常、電源コンセントに接続された充電器である。また、携帯端末装置１０は、制御部１１、温度センサ１２、充電回路１３、バッテリ１４、加速度センサ１６、表示部１７、画像処理部１８及び無線部１９を含む。
【００１９】
制御部１１は、温度センサ１２により携帯端末装置１０内の温度を監視している。また、制御部１１は、加速度センサ１６を使って、携帯端末装置１０の動きや傾き（水平軸に対する回転角度、等）を監視している。
【００２０】
電源１５を接続することにより、バッテリ１４は、充電回路１３を経由して充電される。バッテリ１４は、携帯端末装置１０の内部電源である。
【００２１】
制御部１１は温度センサ１２より得られた携帯端末装置１０の温度が予め与えられた規定値以上になった場合に、充電回路１３を制御して充電発熱制御を行う。
【００２２】
ここで、充電発熱制御は、充電回路１３が、電源１５からバッテリ１４に流れる電流を通常の充電時より減少させる（遮断を含む）ことにより、充電に伴うバッテリ１４等の発熱を通常の充電時より減少させることをいう。充電回路１３は、制御部１１からの指示信号に基づいて、充電発熱制御を実施したり、やめたり（通常の充電を実施）する。
【００２３】
以降、制御部１１が、充電回路１３に充電発熱制御を実施するように指示信号を出力することを「充電発熱制御を有効にする」、充電発熱制御を実施せず通常の充電を行うように指示信号を出力することを、「充電発熱制御を無効にする」という。
【００２４】
表示部１７は、液晶ディスプレイ等である。無線部１９は、携帯電話網や無線LAN（Local Area Network）等の通信を行う。画像処理部１８は、無線部１９経由でインターネットなどから受信した画像を再生して、表示部１７に再生する。画像は、携帯端末装置１０内の図示されないメモリ等に蓄えられていてもよい。制御部１１は、表示部１７に各種情報の表示を行う。
【００２５】
また、制御部１１は、携帯端末装置１０の傾きに応じて、表示部１７に表示される画像の傾きを変更しても良い。例えば、制御部１１は、加速度センサ１６の加速度検出に基づいて自装置の水平軸に対する回転角度を判定し、当該回転角度に応じて、画像を表示部１７に表示する際の回転角度を決定する。制御部１１は、この回転角度にもとづいて、画像処理部１８が出力した画像の回転角度を変更すればよい。この制御により、例えば、携帯端末装置１０を縦から横に９０度回転させたときでも、表示部１７に表示される画像の傾きを一定に保つことが出来る。
【００２６】
携帯端末装置１０は、その他、一般の携帯電話、スマートフォン、タブレット端末等の携帯型の装置が備える機能、ハードウェア、ソフトウェアを備えていても良い。
【００２７】
なお、携帯端末装置１０が含む各部は、電子回路などのハードウェアである。制御部１１、画像処理部１８、無線部１９等の機能の一部または全部は、携帯端末装置１０が備えるメモリ（図示されず）に格納されたプログラムが、携帯端末装置１０が備えるプロセッサ（図示されず）により実行されることで、実現されても良い。
【００２８】
図２は、第１の実施形態の携帯端末装置１０の制御部１１の動作フローチャートである。図２を用いて、本発明の第１の実施の形態の動作を説明する。
【００２９】
まず、電源１５が接続されると充電回路１３はバッテリ１４の充電を開始し、制御部１１は、バッテリ１４が充電中となったことを検出する（Ｓ１でＹ）。
【００３０】
充電中になった場合、制御部１１はユーザが携帯端末装置１０を手に持っているかどうか判断する（Ｓ２）ため、加速度センサ１６の出力情報を取得する。ユーザが携帯端末装置１０を手に持っている場合には、携帯端末装置１０に動きや傾きの変化が発生する、すなわち加速度の変化が発生するため、加速度センサ１６の出力情報が変化する。制御部１１は、加速度センサ１６の出力情報から、ユーザが携帯端末装置１０を手に持っていることを判断する。
【００３１】
逆に、携帯端末装置１０がクレードル上に置かれている、あるいは机の上に置かれている等、完全に静止している状態では、加速度センサ１６の出力情報は時間が経過しても変化しない。このため、制御部１１は、加速度センサ１６の出力情報が予め与えられた既定時間が経過しても変化しない場合に、ユーザが携帯端末装置１０を手に持っていないと判断する。
【００３２】
制御部１１が、携帯端末装置１０をユーザが手に持っていないと判断した場合には（Ｓ２でＮ）、制御部１１は充電発熱制御を無効にする（Ｓ７）。
【００３３】
制御部１１が、携帯端末装置１０をユーザが手に持っていると判断した場合には（Ｓ２でＹ）、制御部１１は、温度センサ１２より携帯端末装置１０の温度情報を取得する。携帯端末装置１０の温度が予め与えられた規定値以上の場合（Ｓ３でＹ）、制御部１１は、ユーザに対して、携帯端末装置１０を手から離すように促す警告を表示部１７に表示する（Ｓ４）。その後、制御部１１は、充電発熱制御を有効にする（Ｓ５）。
【００３４】
また、一度、警告が表示されて（Ｓ４）、充電発熱制御が有効になったとしても（Ｓ５）、ユーザが携帯端末装置１０を手から離した場合、制御部１１は、これを加速度センサ１６の出力情報から検知し（Ｓ２でＮ）、自動的に警告を消去し（Ｓ６）、充電発熱制御を無効にする（Ｓ７）。これにより、充電回路１３は、充電電流等を通常状態に戻す。
【００３５】
また、同様に、一度、警告が表示されて（Ｓ４）、充電発熱制御が有効になったとしても（Ｓ５）、携帯端末装置１０の温度が規定値未満になれば（Ｓ３でＮ）、制御部１１は、自動的に警告を消去（Ｓ６）し、充電発熱制御を無効とする（Ｓ７）。
【００３６】
なお、ここで、判定に使用する温度の規定値は、温度上昇時と下降時で、ヒステリシス特性をもたせてもよい。
【００３７】
なお、実施の形態に於いて、制御部１１は、ユーザに対する警告の表示、消去（Ｓ４、Ｓ６）を行ったが、これは行わなくても良い。さらに、制御部１１は、温度の判断（Ｓ３）を行わなくても良い。この場合、温度センサ１２は不要である。警告は、表示部１７への表示に限られない。警告は、バイブレータの振動やブザーの鳴動などでも良い。
【００３８】
以上説明したように、本実施の形態の携帯端末装置１０は、ユーザの低温火傷の問題を解決しつつ、効率良くバッテリ１４を充電することが出来る。その理由は、制御部１１が、ユーザが当該装置を手に持っている場合にのみ、充電発熱制御を行うように制御するためである。
【００３９】
さらに、本実施の形態の携帯端末装置１０は、効率の良い充電制御を簡潔に、コストの増加を抑えて提供できる。その理由は、制御部１１が、ユーザが当該装置を手に持っているか否かの判断を、加速度センサ１６の出力値に基づいて行うからである。加速度センサ１６は、制御部１１が画像処理部１８による再生画像の傾きを制御するために、もともと携帯端末装置１０が備えているものを流用できる。
【００４０】
また、温度判定（Ｓ２）、および、警告表示（Ｓ４、Ｓ６）をする場合、本実施の形態の携帯端末装置１０は、ユーザの低温火傷の問題を解決しつつ、さらに。効率良くバッテリ１４を充電することが出来る。その理由は、ユーザに対して、携帯端末装置１０を手から離すように促す警告を表示することで、充電中かつ携帯端末装置１０の温度が規定値以上時に、ユーザが携帯端末装置１０を手に持っている時間を減らすことができるからである。
【００４１】
（第２の実施の形態）
図３は、第２の実施形態の携帯端末装置１０の構成を示す。実施の形態の携帯端末装置１０は、加速度センサ１６と、加速度センサ１６から出力される信号に基づいて、自装置がユーザに接触している接触状態か否かを判断する制御部１１と、接触状態であるときに、自装置に内蔵されたバッテリ１４の充電に伴う発熱を抑制する充電回路１３とを備える。
【００４２】
実施の形態の携帯端末装置１０は、ユーザが携帯端末装置を操作している場合だけでなく、動画を視聴しているような場合に於いても、ユーザの低温火傷を防ぐことが出来る。その理由は、その理由は、制御部１１が、ユーザが当該装置を手に持っている場合にのみ、充電発熱制御を行うように制御するためである。
【００４３】
さらに、本実施の形態の携帯端末装置１０は、効率の良い充電制御を簡潔に、コストの増加を抑えて提供できる。その理由は、制御部１１が、ユーザが当該装置を手に持っているか否かの判断を、加速度センサ１６の出力値に基づいて行うからである。加速度センサ１６は、画像処理部１８が再生する画像の傾きの制御を行うために、もともと携帯端末装置１０が備えているものを流用できる。
【符号の説明】
【００４４】
１０    形態端末装置
１１    制御部
１２    温度センサ
１３    充電回路
１４    バッテリ
１５    電源
１６    加速度センサ
１７    表示部
１８    画像処理部
１９    無線部
【図１】
2014212594.tif 000003
【図２】
2014212594.tif 000004
【図３】
2014212594.tif 000005